(57)【要約】【課題】消耗品の交換等によるランニングコストを抑えることを可能にした抗菌消臭装置を提供すること。【解決手段】上部を開口３にした有底の本体部２と本体部２における開口３を取り外し自在に閉鎖した蓋部５を具備して、本体部２は、底部に抗菌消臭剤を貯留可能にするとともに側壁に排気窓４が形成され、蓋部５は、吸気孔７が形成された蓋本体６と、吸気孔７を閉鎖したファン８と、蓋本体６の下方に連設した、下方に行くに従って径が小さくなるようにテーパー状にするとともに、下端が本体部２の底部分との間に空間が形成される長さとした円筒形状の吸気ガイド９とを具備し、ファン８を介して装置の外部の空気を本体部２の内部に取り込み、取り込んだ外気を、本体部２の底部に貯留した抗菌消臭剤に衝突、接触させて抗菌及び消臭し、その後に排気窓４より外部に排気することを可能にした。【選択図】図３
2011101664.tif 000002
【特許請求の範囲】
【請求項１】
上部を開口（３）にした有底の本体部（２）と、
該本体部（２）における前記開口（３）を取り外し自在に閉鎖した蓋部（５）と、を具備して、
前記本体部（２）は、底部に抗菌消臭剤を貯留可能にするとともに、側壁の任意の部分に排気窓（４）が形成され、
前記蓋部（５）は、
中央部分に吸気孔（７）が形成された蓋本体（６）と、
該蓋本体（６）における前記吸気孔（７）を閉鎖したファン（８）と、
前記蓋本体（６）の下方に連設した、下方に行くに従って径が小さくなるようにテーパー状にするとともに、下端が前記本体部（２）の底部分との間に空間が形成される長さとした、円筒形状の吸気ガイド（９）と、を具備し、
前記ファン（８）を介して装置（１）の外部の空気を前記本体部（２）の内部に取り込み、該取り込んだ外気を、前記本体部（２）の底部に貯留した抗菌消臭剤に衝突させることで抗菌消臭剤に接触させて抗菌及び消臭するとともに前記排気窓（４）より外部に排気する、ことを可能にしたことを特徴とする抗菌消臭装置。
【請求項２】
前記蓋本体（６）は、その外径を前記本体部（２）の上端の外径よりも大きくし、前記排気窓（４）から排気された空気が前記ファン（８）側に上昇することを阻止可能にしたことを特徴とする請求項１に記載の抗菌消臭装置。
【請求項３】
請求項１又は請求項２に記載の抗菌消臭装置を用いた抗菌消臭方法であって、
前記ファン（８）を介して装置の外部の空気を前記本体部（２）の内部に取り込み、該取り込んだ外気を、前記本体部（２）の底部に貯留した抗菌消臭剤に衝突させることで抗菌消臭剤に接触させて抗菌及び消臭するとともに、前記排気窓（４）より外部に排気する、ことを特徴とする抗菌消臭方法。
【発明の詳細な説明】
【技術分野】
【０００１】
本発明は、抗菌消臭装置及びそれを用いた抗菌消臭方法に係り、より詳しくは、室内、飲食店における店内や厨房内等の空気の抗菌消臭に用いる抗菌消臭装置において、特にランニングコスト等を抑えることを可能にした抗菌消臭装置及びそれを用いた抗菌消臭方法に関する。
【背景技術】
【０００２】
従来、特に焼肉点等の飲食店においては、店内や厨房内に漂う臭いを無くするために消臭装置を用いることが行われている。
【０００３】
ここで、従来から用いられている消臭装置としては、香料によりマスキングする方法を採用したものや、活性炭等を用いて臭いを吸収する方法を採用したものが存在する。
【０００４】
そしてその他、近年になり、抗菌消臭用溶剤を用いて、この溶剤を気化シートに浸透させるとともに、この気化シートに臭いを伴った外気を通過させることにより、室内等の空気の抗菌消臭を行う方法を採用した気化式の抗菌消臭装置が提案されている。
【０００５】
図４は、この従来の抗菌消臭装置３１の構成を示した一部縦断正面図であり、この従来の抗菌消臭装置３１ではハウジング３２を有しており、このハウジング３２は、内部に抗菌消臭用溶剤を蓄えたタンク３７を収納し、ハウジング３２の底部に前記タンク３７の下部より抗菌消臭用溶剤を供給し、これによりハウジング３２は、底部に抗菌消臭用溶剤を貯留させることが可能となっている。
【０００６】
また、前記ハウジング３２は、その側壁に吸気口３３が形成されるとともに、上部には排気口３４が形成され、更に、排気口３４の下方にはファン３５が配設されており、ファン３５を駆動することで、前記吸気口３３を介して外部の空気をハウジング３２内に取り込むとともに、排気口３４を介して内部の空気を排気可能としている。
【０００７】
また、前記ハウジング３２内には気化シート３６が配設されており、この気化シート３６は、下方部分が、ハウジング３２の底部に貯留させた抗菌消臭用溶剤の中に位置するとともに、前記吸気口３３を閉鎖する配置とされている。
【０００８】
そして、この構成において、ハウジング３２内に抗菌消臭用溶剤を貯留させると、その抗菌消臭用溶剤は気化シート３６に浸透していき、これにより気化シート３６の全体が抗菌消臭用溶剤を含んだ状態になるとともに、気化シート３６に浸透した抗菌消臭用溶剤は気化してハウジング３２内が溶剤の雰囲気となる。
【０００９】
そうすると、この状態で前記ファン３５を駆動すると、吸気口３３、及び気化シート３６を介して外部の空気がハウジング３２内に取り込まれるとともに、このハウジング３２内に取り込まれた空気は、気化シート３６を通過する際に抗菌消臭用溶剤により抗菌及び消臭され、ハウジング３２内の溶剤の雰囲気の中を、排気口３４に向かって上昇し、その後は、抗菌及び消臭された空気が排気口３４から排気される。また、ハウジング３２内の溶剤の雰囲気の中を空気が通過することで、より確実に抗菌及び消臭された空気を排気することが可能となる。
【００１０】
従って、このような従来の抗菌消臭装置を用いることにより、面倒な工事等を行うことなく、臭いを含んだ空気の消臭及び抗菌を行うことができるという利点がある。
【００１１】
また、図５は、図４に示した抗菌消臭装置と同様に気化式とした抗菌消臭装置の他の形態であり、この図５に示した形態の抗菌消臭装置４１では、下部ケース４２とこの下部ケース４２の上部に装備した上部ケース４３とを有しており、上部ケース４３内は、底部に水槽４７が配設されるとともに上部にはファン４９が備えられており、更に、水槽４７内の周囲には、ラウンド状とした気化シート４８が配設されている。
【００１２】
また、上部ケース４３は、側壁に吸気口５０が形成され、上部には排気口５１が形成されており、これにより、ファン４９を駆動することで、吸気口５０より外気を取り入れるとともに、この取り入れた外気を排気口５１より排気可能としている。
【００１３】
一方、下部ケース４２内には、抗菌消臭用溶剤を蓄えた溶剤タンク４４と、この溶剤タンク４４内の抗菌消臭用溶剤を前記水槽４７に供給するためのポンプ４５、及び電源等の電装部品４６が備えられている。
【００１４】
そしてこの構成において、前記ポンプ４５を駆動して水槽４７内に抗菌消臭用溶剤を供給すると、水槽４７内の抗菌消臭用溶剤は気化シート４８に浸透していき、これにより気化シート４８の全体が抗菌消臭用溶剤を含んだ状態になるとともに、気化シート４８に浸透した抗菌消臭用溶剤が気化して、上部ケース４３内が溶剤の雰囲気となる。
【００１５】
従って、この状態で、前記ファン４９を駆動すると、吸気口５０を介して外部の空気が上部ケース４３内に取り込まれるとともに、この取り込まれた空気は、上部ケース４３内の溶剤の雰囲気の中で消臭及び抗菌されつつ排気口５１に向かって上昇し、その後は、消臭及び抗菌された空気が排気口５１から排気され、これにより、面倒な工事等を行うことなく、臭いを含んだ空気の消臭及び抗菌を行うことができる。
【先行技術文献】
【特許文献】
【００１６】
【特許文献１】特開２０００−６０９５３号公報
【発明の概要】
【発明が解決しようとする課題】
【００１７】
しかしながら、前述のような、気化シートを用いてこの気化シートに抗菌消臭用溶剤を浸透させる方式では、定期的に気化シートを洗浄する必要があるとともに、気化シートの汚れが激しい場合には気化シートを交換する必要があるという問題点が指摘できる。
【００１８】
即ち、前述の従来の方式では、気化シートに抗菌消臭用溶剤を浸透させることで気化シートが汚れるためにこの汚れを定期的に取り除く必要があり、更に、汚れがひどい場合には気化シートを交換しなければならなくなる。そのため、気化シートは消耗品となってしまい、その交換のための費用、及び交換作業等が必要になってしまう。
【００１９】
また、気化シートに抗菌消臭用溶剤を浸透させる前述の方式では、抗菌消臭用溶剤の消耗が激しい一方、一般的に抗菌消臭用溶剤は高額であるために、それにより、従来の抗菌消臭装置では、購入の際のコストのみならず、使用に際して必要になるランニングコストも上がってしまうという問題点が指摘できる。
【００２０】
そこで、本発明は、消耗品の交換等によるランニングコストを抑えることを可能にした抗菌消臭装置及びそれを用いた抗菌消臭方法を提供することを課題としている。
【課題を解決するための手段】
【００２１】
本発明における抗菌消臭装置は、
上部を開口にした有底の本体部と、該本体部における前記開口を取り外し自在に閉鎖した蓋部と、を具備して、
前記本体部は、底部に抗菌消臭剤を貯留可能にするとともに、側壁の任意の部分に排気窓が形成され、
前記蓋部は、
中央部分に吸気孔が形成された蓋本体と、
該蓋本体における前記吸気孔を閉鎖したファンと、
前記蓋本体の下方に連設した、下方に行くに従って径が小さくなるようにテーパー状にするとともに、下端が前記本体部の底部分との間に空間が形成される長さとした、円筒形状の吸気ガイドと、を具備し、
前記ファンを介して装置の外部の空気を前記本体部の内部に取り込み、該取り込んだ外気空気を、前記本体部の底部に貯留した抗菌消臭剤に衝突させることで抗菌消臭剤に接触させるとともに排気窓より外部に排気する、ことを可能にしたことを特徴としている。
【発明の効果】
【００２２】
本発明の抗菌消臭装置では、本体部の底部に抗菌消臭剤を貯留しており、本体部内に取り込んだ外気をこの抗菌消臭剤に衝突させて、それにより外気を抗菌消臭剤に接触させることで、外気の消臭及び抗菌を行うこととしている。
【００２３】
従って、本発明の抗菌消臭装置では、従来の抗菌消臭装置で必要としていた気化シートを用いることなく外気の抗菌消臭を可能にしているため、気化シートの洗浄交換のためのコストを削減することができる。
【００２４】
また、本発明の抗菌消臭装置では、気化シートを用いないために、従来の抗菌消臭装置と比較して、抗菌消臭剤の消耗を少なくすることができ、それによって、抗菌消臭剤の交換に伴うコストを抑えることが可能である。
【００２５】
従って、本発明の抗菌消臭装置では、消耗品の交換等によるランニングコストを抑えることが可能である。
【図面の簡単な説明】
【００２６】
【図１】本発明の抗菌消臭装置の実施例の斜視図である。
【図２】本発明の抗菌消臭装置の実施例の分解斜視図である。
【図３】本発明の抗菌消臭装置の実施例の構造を示す一部断面図である。
【図４】従来の抗菌消臭装置を説明するための図である。
【図５】従来の抗菌消臭装置の他の形態を説明するための図である。
【発明を実施するための最良の形態】
【００２７】
本発明の抗菌消臭装置では本体部を有しており、この本体部は、上部を開口にした有底の形態とし、箱形、円筒型、あるいは球体形状としている。
【００２８】
そして、本体部は、底部に抗菌消臭剤を貯留可能にするとともに、側壁の任意の部分には、排気窓が形成されている。
【００２９】
また、本発明の抗菌消臭装置では、本体部の上部開口を閉鎖するための蓋部を有しており、この蓋部は、取り外し自在にして本体部に装着されている。
【００３０】
そして、前記蓋部は、プレート状とした蓋本体を有しており、この蓋本体の中央部分には、吸気孔が形成されている。
【００３１】
また、前記蓋本体にはファンが装着されており、このファンは、前記吸気孔を閉鎖する配置で蓋本体に装着されており、装置の外の空気を本体部の内部に取り込むことを可能としている。
【００３２】
更に、前記蓋本体の下方には、吸気ガイドが連設されており、この吸気ガイドは、円筒形状とし、下方に行くに従って径が小さくなるようにテーパー状にしている。
【００３３】
また、吸気ガイドは、その下端が前記本体部の底部分との間に空間が形成される長さとしており、具体的には、下端が、前記本体部の底部分に貯留させた抗菌消臭剤の水面との間に僅かな空間が形成される長さとしている。
【００３４】
そして、この構成により、前記ファンを駆動することで、装置の外部の空気を前記本体部の内部に取り込み、この取り込んだ空気を、吸気ガイドによって本体部の底部に貯留させている抗菌消臭剤に衝突させ抗菌消臭剤に接触させるとともに排気窓より外部に排気し、これにより、装置内部に取り入れた空気の抗菌及び消臭を可能にしている。
【００３５】
ここで、前記蓋本体は、その外径を前記本体部の上端の外径よりも大きくするとよく、これにより、前記排気窓から排気された空気が本体部の上方に行ってしまい、そのまま本体部に吸気されてしまうことを阻止することが可能である。
【実施例１】
【００３６】
本発明の抗菌消臭装置の実施例について図面を参照して説明すると、図１は、本実施例の抗菌消臭装置の外観を示す概略斜視図であり、また、図２は本実施例の抗菌消臭装置の分解斜視図であり、更に、図３は、本実施例の抗菌消臭装置の縦断正面構造を示す一部断面図であり、図において１が、本実施例の抗菌消臭装置である。
【００３７】
そして、図において、本実施例の抗菌消臭装置は、内部の底に抗菌消臭剤を貯留させた本体部と、この本体部内に外部の空気を取り込むための蓋部とを具備して構成され、外部の空気を本体部内に取り込んだ後に、この取り込んだ空気を、本体部内の抗菌消臭剤に接触させて抗菌消臭し、その後に外部に排気することとしている。
【００３８】
ここで、まず本体部について説明すると、図において２が本体部であり、本実施例において前記本体部２は、縦長の有底の箱型形状としている。そして、上部を開口３としており、底部には抗菌消臭剤を貯留可能としている。なお、本体部２の素材は特に限定されないが、本実施例においては、透明あるは半透明の樹脂製としている。また、その寸法は特に限定されず、使用する部屋等の大きさに応じて任意である。
【００３９】
次に、図において４は排気窓である。即ち、本発明において前記本体部２は、側壁の任意の部分に排気窓４が形成されており、本実施例においては、４枚の側壁のそれぞれに、四角形状の排気窓４を形成している。
【００４０】
また、本実施例における前記排気窓４はそれぞれ、本体部２の側壁において、上端部からやや下がった箇所に形成されており、僅かに横長とした四角形状としている。
【００４１】
次に、前記蓋部について説明すると、図において５が蓋部である。そして、本実施例において前記蓋部５は、四角形の平板状の蓋本体６を有しており、この蓋本体６は、図３からも明らかなように、中央部分を開口として、この開口を吸気孔７としている。
【００４２】
また、図からも明らかなように、前記蓋本体６の外径は、前記本体部２の上端の外径よりも大きくしており、これにより、蓋本体６の外縁部分が、前記本体部２の上部のひさしとしての機能を有しているとともに、蓋本体６を本体部２上に載置することのみで蓋部５を装着可能としている。
【００４３】
次に、図において８はファンである。即ち、本実施例の抗菌消臭装置１では、前記蓋本体６における中央部分の吸気孔７を閉鎖する配置で、蓋本体６の上部にファン８を装着している。
【００４４】
そして、本実施例において前記ファン８は、装置の外側の空気を本体部２の内部に取り込むことを可能な吸気ファンとしており、これにより、ファン８を駆動することで、吸気孔７を介して、室内等の汚れた空気を本体部２内に取り込むことを可能としている。
【００４５】
なお、図示を省略するが、前記ファン８には、電源コード及びスイッチを連結しており、電源コードを電源に接続し、この状態でスイッチを操作することで、ファン８を駆動可能にしている。
【００４６】
また、前記ファン８は、外部の空気を装置の内部に取り込むことが可能なものであればいずれの形態、種類でもよく、通常のプロペラ型のファンの他に、シロッコファン等でもよい。
【００４７】
次に、図において９は吸気ガイドである。即ち、本実施例の抗菌消臭装置１では、前記蓋本体６の下面側に吸気ガイド９を連設している。そして、これによって、前記吸気孔７より本体部２の内部に取り込んだ空気を、本体部２の底部に導くとともに、本体部２の底部に貯留させた抗菌消臭剤に衝突させることを可能としている。
【００４８】
ここで、前記吸気ガイド９について説明すると、本実施例において前記吸気ガイド９は、円筒形状にするとともに、下方に行くに従ってテーパー状に径を小さくしており、漏斗に似た形状としている。
【００４９】
そして、上端部は、前記吸気孔７の周辺部分において前記蓋本体６の下面に連設しており、これにより、吸気孔７から取り込んだ空気を、本体部２の底部に導くことを可能にしている。
【００５０】
また、本実施例において前記吸気ガイド９は、下方に行くに従ってテーパー状に径を小さくしているために、吸気孔７から取り込んだ空気を本体部２の底部に導くに際して、吸気孔７から取り込まれた空気は、ベンチュリー効果によって、流速を上げながら本体部２の底部に導かれるので、それによって、吸気孔７から取り込んだ空気を、本体部の底部に貯留した抗菌消臭剤に、勢い良く衝突させながら接触させることを可能にしている。
【００５１】
更に、本実施例において前記吸気ガイド９は、その下端が前記本体部２の底部分との間に空間が形成される長さとしている。具体的には、その下端が、前記本体部２の底部分に貯留させた抗菌消臭剤の水面との間に僅かな空間が形成される長さとしている。そのため、これによって、より効果的に、吸気孔７から取り込んだ空気を本体部の底部に貯留した抗菌消臭剤に勢い良く衝突させながら接触させることを可能にしている。
【００５２】
次に、このように構成される本実施例の抗菌消臭装置１を用いた本発明の抗菌消臭方法の実施例について説明すると、本実施例の抗菌消臭装置１によって室内等の空気の抗菌消臭を行う場合には、まず、本体部２内の底部に、前記吸気ガイド９の下端が接触しない程度の深さで抗菌消臭剤を貯留させ、その後蓋部５を本体部２の上部に装着し、その状態でファン８を駆動させる。
【００５３】
そうすると、本実施例の抗菌消臭装置１の外部にある空気はまず、ファン８によって吸気されて、吸気孔７を介して本体部２に取り込まれる。
【００５４】
次に、この本体部２の内部に取り込まれた空気は、吸気ガイド９によって本体部２の底部まで導かれ、その後、本体部２の底部に貯留させている抗菌消臭剤に衝突して接触し、それにより、抗菌及び消臭される。
【００５５】
そして、抗菌消臭剤に接触して抗菌及び消臭された空気は、順次吸気されて本体部２の内部に取り込まれて吸気ガイド９によって本体部２の底部に導かれてくる空気に押されることで、本体部２の内部において、吸気ガイド９の外側を回りこんだ後に排気窓４から外部に排気され、これにより、室内の空気の抗菌及び消臭が可能となる。図３において矢印で示した経路が、この空気の流れの状態を示したものである。
【００５６】
そのために、本実施例の抗菌消臭装置及びそれを用いた本実施例の抗菌消臭方法では、従来の抗菌消臭装置で必要としていた気化シートを用いることなく外気の抗菌消臭を可能にし、気化シートの洗浄交換のためのコストを削減することができる。
【００５７】
また、本発明では、気化シートを用いないために、従来の抗菌消臭装置と比較して、抗菌消臭剤の消耗を少なくすることができ、それによって、抗菌消臭剤の交換に伴うコストを抑えることが可能である。
【００５８】
さらにこのとき、本実施例の抗菌消臭装置１では、前記吸気ガイド９を漏斗に似た形状として、下方に行くに従ってテーパー状に径を小さくしているため、この吸気ガイド９によって本体部２の内部に導かれる空気は、ベンチュリー効果によって徐々に流速が増していく。
【００５９】
そうすると、吸気ガイド９に導かれて本体部２の底部に移動する空気は、強い勢いで抗菌消臭剤に衝突するため、この衝突によって抗菌消臭剤の水面が波立つことで、空気と抗菌消臭剤との接触面積を大きくすることも可能となる。
【００６０】
また、空気が吸気ガイド９内を移動する過程において、空気には、吸気ガイド９の内壁との接触によって静電気が発生するが、本実施例では、ベンチュリー効果によって空気の流速が上がっていくために、空気に帯電する静電気の量が多くなる。
【００６１】
そうすると、抗菌消臭剤に接触する空気はマイナスに帯電するため、それによって抗菌消臭剤と強力に接触することができ、それによって、空気の抗菌及び消臭の効果を高めることが可能となる。
【００６２】
一方、抗菌消臭剤に接触して抗菌及び消臭された空気は、前述したように、順次本体部２の底部に導かれて抗菌消臭剤に衝突してくる空気によって押し出されて排気窓４から排気されるが、このとき、本実施例の抗菌消臭装置１では、前記蓋本体６の外径を前記本体部２の上端の外径よりも大きくし蓋本体６の外縁部分に前記本体部２の上部のひさしとしての機能を持たせているため、装置から排気された空気が上方に上昇して再び直ぐに装置内に吸気されることを有効に防止することができる。
【００６３】
このように、本実施例の抗菌消臭装置では、本体部の底部に抗菌消臭剤を貯留しており、本体部に取り入れた外気をこの抗菌消臭剤に衝突させて、それにより外気を抗菌消臭剤に接触させることで、外気の消臭及び抗菌を行うこととし、これにより、従来の抗菌消臭装置で用いていた気化シートを用いることなく外気の抗菌消臭を可能にしているため、気化シートの洗浄交換のためのコストを削減することができるとともに、気化シートを用いないために、従来の抗菌消臭装置と比較して、抗菌消臭剤の消耗を少なくすることができ、それによって、抗菌消臭剤の交換に伴うコストを抑えることが可能である。
【００６４】
また、本実施例の抗菌消臭装置１では、前記吸気ガイド９を漏斗に似た形状として、下方に行くに従ってテーパー状に径を小さくし、この吸気ガイド９によって本体部２の内部に導かれる空気をベンチュリー効果によって徐々に流速が増すようにしているため、吸気ガイド９に導かれて本体部２の底部に移動する空気は、強い勢いで抗菌消臭剤に衝突するため、抗菌消臭剤の水面が波立つことで、空気と抗菌消臭剤との接触面積を大きくすることも可能となる。
【００６５】
さらに、空気が吸気ガイド９内を移動する過程において、空気には、吸気ガイド９の内壁との接触によって静電気が発生するが、本実施例では、ベンチュリー効果によって空気の流速が上がっていくために発生する静電気の量が多くなり、それによって抗菌消臭剤と強力に接触することができ、空気の抗菌及び消臭の効果を高めることが可能となる。
【００６６】
更にまた、本実施例の抗菌消臭装置１では、前記蓋本体６の外径を前記本体部２の上端の外径よりも大きくし蓋本体６の外縁部分に前記本体部２の上部のひさしとしての機能を持たせているため、装置から排気された空気が上方に上昇して再び直ぐに装置内に吸気されることを有効に防止することができる。
【産業上の利用可能性】
【００６７】
本発明の抗菌消臭装置では、気化シートを用いることなく室内等の空気の抗菌及び消臭を可能として、これにより消耗品の交換等によるランニングコストを抑えることを可能にしているため、抗菌消臭剤を用いる抗菌消臭装置の全般に適用可能である。
【符号の説明】
【００６８】
１    抗菌消臭装置
２    本体部
３    開口部
４    排気窓
５    蓋部
６    蓋本体
７    吸気孔
８    ファン
９    吸気ガイド
【図１】
2011101664.tif 000003
【図２】
2011101664.tif 000004
【図３】
2011101664.tif 000005
【図４】
2011101664.tif 000006
【図５】
2011101664.tif 000007